(57)【特許請求の範囲】
【請求項１】
スピーカの取付け面が下面となるようにスピーカを支持するスピーカスタンドであって、コ字型の脚の対向面に夫々対向して水平方向に延びる溝を複数段設け、前記溝に棚板を差し込み、前記脚を複数個用いてスピーカボックスを前記棚板によりスピーカスタンドの載置面とスピーカ下面との間に空隙を有して支持するように構成したスピーカスタンド。
【請求項２】
スピーカの取付け面が下面となるようにスピーカを支持するスピーカスタンドであって、Ｌ字型の脚に水平方向に延びるスリットを複数段設け、前記スリットにＬ字型の棚板を差し込み、前記脚を複数個用いてスピーカボックスを前記棚板によりスピーカスタンドの載置面とスピーカ下面との間に空隙を有して支持するように構成したスピーカスタンド。
【発明の詳細な説明】
【０００１】
【発明の属する技術分野】
この発明はスピーカボックスを支持するスピーカスタンドに関する。
【０００２】
【従来の技術】
従来のスピーカスタンドの例を図８に示す図に示す。スピーカボックス７の内部にはスピーカ８が固定されている。このスピーカボックス７は略その奥行きに等しい幅のスピーカスタンド９により挾持されて保持される。
【０００３】
【発明が解決しようとする課題】
上記した従来のスピーカスタンドではスピーカボックス７の下側に置かれる面がスピーカスタンド９の底面に当接する状態で支持されるために、スピーカ８を取付けた面を下側に配置すると音が十分に放射されない。また、スピーカボックスを段差のある場所に配置できないという欠点があった。
【０００４】
この発明は上記した点に鑑みてなされたものであって、その目的とするところは、スピーカが取付けられたスピーカボックスの面を下向きに配置しても音が十分に放射され、また、スピーカボックスを段差のある場所に配置できるスピーカスタンドを提供することにある。
【０００５】
【課題を解決するための手段】
この発明のスピーカスタンドは、スピーカの取付け面が下面となるようにスピーカを支持するスピーカスタンドであって、コ字型の脚の対向面に夫々対向して水平方向に延びる溝を複数段設け、前記溝に棚板を差し込み、前記脚を複数個用いてスピーカボックスを前記棚板によりスピーカスタンドの載置面とスピーカ下面との間に空隙を有して支持するように構成したものである。
【０００６】
またこの発明のスピーカスタンドは、スピーカの取付け面が下面となるようにスピーカを支持するスピーカスタンドであって、Ｌ字型の脚に水平方向に延びるスリットを複数段設け、前記スリットにＬ字型の棚板を差し込み、前記脚を複数個用いてスピーカボックスを前記棚板によりスピーカスタンドの載置面とスピーカ下面との間に空隙を有して支持するように構成したものである。
【０００７】
【発明の実施の形態】
この発明の実施例であるスピーカスタンドを図面に基づいて説明する。図１はこの発明の第１の実施例であるスピーカスタンドを示す斜視図である。図に示すコ字型脚１の対向する面に複数対の水平方向に延びる溝１ａ、１ａ…が設けられている。棚板２は任意の対向する溝１ａ、１ａに差し込むことができる。
【０００８】
図２は上記コ字型脚１を２個用いて棚板２を溝１ａ、１ａに差し込まず、コ字型脚１、１の底面でスピーカボックス３を支持した例を示している。この例では背後にスピーカが固定されるグリル４が側面となるようにスピーカボックス３が配置される。すなわち、スピーカの取り付けられた面はスピーカボックス３の側面となる。
【０００９】
図３は上記コ字型脚１を２個用いて棚板２を溝１ａ、１ａに差し込み、棚板２、２でスピーカボックス３を支持した例を示している。この例では背後にスピーカが固定されるグリル４が底面となるようにスピーカボックス３が配置されている。すなわち、スピーカの取り付けられた面はスピーカボックス３の底面となるがスピーカボックス３の底面とコ字型脚１の載置される床との間に隙間があるので、音は障害なく放射される。
【００１０】
図４は上記コ字型脚１を２個用いて棚板２を溝１ａ、１ａに差し込み、棚板２、２でスピーカボックス３を支持した例を示している。この例ではコ字型脚１、１の高さの異なる溝１ａ、１ａ…に棚板２が差し込まれている。なお、グリル４が底面となるようにスピーカボックス３が配置されている。このように棚板２の高さを変えて段差のある床面にスピーカボックス３を配置することができる。
【００１１】
図５はこの発明の第２の実施例であるスピーカスタンドを示す。図に示すＬ字型脚５には複数の水平方向に延びるスリット５ａ、５ａ…が設けられている。Ｌ字型棚板６は任意の対向するスリット５ａ、５ａに差し込むことができる。図５に示すようにＬ字型棚板６は差し込まれた状態で垂直に延びる部分がＬ字型脚５に当接して水平に延びる部分が下がることなく支えられる。
【００１２】
図６は上記Ｌ字型脚５を２個用いてＬ字型棚板６をスリット５ａに差し込むなく、Ｌ字型脚５の底面でスピーカボックス３を対称位置で支持した例を示している。この例では背後にスピーカが固定されるグリル４が側面となるようにスピーカボックス３が配置される。すなわち、スピーカの取り付けられた面はスピーカボックス３の側面となる。
【００１３】
図７は上記Ｌ字型脚５を２個用いてスリット５ａにＬ字型棚板６に差し込み、Ｌ字型棚板６、６でスピーカボックス３を支持した例を示している。この例では背後にスピーカが固定されるグリル４が底面となるようにスピーカボックス３が配置されている。すなわち、スピーカの取り付けられた面はスピーカボックス３の底面となるがスピーカボックス３の底面とＬ字型脚５の載置される床との間に隙間があるので、音は障害なく放射される。この例ではＬ字型棚板６を１か所のスリットに差し込むだけでスピーカスタンドを簡単に組み立てることができる。
【００１４】
【発明の効果】
この発明のスピーカスタンドによれば、スピーカボックスを載置される床との間に隙間があるように支持できるので、音は障害なく放射される。
【００１５】
また、２個のスピーカスタンドの支持部を段違いとすることができるので段差がある面にスピーカを配置することが可能となる。
【図面の簡単な説明】
【図１】この発明の第１の実施例であるスピーカスタンドを示す斜視図である。
【図２】同スピーカスタンドの使用状態を示す斜視図である。
【図３】同スピーカスタンドの他の使用状態を示す斜視図である。
【図４】同スピーカスタンドのさらに他の使用状態を示す斜視図である。
【図５】この発明の第２の実施例であるスピーカスタンドを示す斜視図である。
【図６】同スピーカスタンドの使用状態を示す斜視図である。
【図７】同スピーカスタンドの他の使用状態を示す斜視図である。
【図８】従来のスピーカスタンドの例を示す斜視図である。
【符号の説明】
１  コ字型脚、１ａ  溝
２  棚板
３  スピーカボックス
４  グリル
５  Ｌ字型脚、５ａ  スリット
６  Ｌ字型棚板
７  スピーカボックス
８  スピーカ
９  スピーカスタンド
【図１】
0003776823.tif 000002
【図２】
0003776823.tif 000003
【図３】
0003776823.tif 000004
【図４】
0003776823.tif 000005
【図５】
0003776823.tif 000006
【図６】
0003776823.tif 000007
【図７】
0003776823.tif 000008
【図８】
0003776823.tif 000009